(57)【要約】【課題】各個人に最適な歩数の目標値を設定すること。【解決手段】天気情報解析部１０３は、復調信号に含まれる本日の天気情報を抽出する。歩数検出部１０６は、歩数を検出する。歩数履歴記憶部１０５は、天気情報記憶部１０４より取得した天気情報と歩数検出部１０６により検出した１日の歩数とを対応付けた歩数履歴情報を順次記憶する。制御部１１０は、天気情報記憶部１０４より取得した天気情報と、歩数履歴記憶部１０５に記憶した歩数履歴情報とに基づいて歩数の目標値を設定する。表示出力部１０９は、制御部１１０により設定した歩数の目標値を表示する。【選択図】図１
2011242858.tif 000002
【特許請求の範囲】
【請求項１】
天気情報を取得する取得手段と、
歩数を検出する検出手段と、
前記取得手段により取得した前記天気情報と前記検出手段により検出した１日の歩数とを対応付けた歩数履歴情報を順次記憶する記憶手段と、
前記取得手段により取得した前記天気情報と前記記憶手段に記憶した前記歩数履歴情報とに基づいて歩数目標値を設定する設定手段と、
前記設定手段により設定した前記歩数目標値を提示する提示手段と、
を具備する歩数計測装置。
【請求項２】
前記設定手段は、前記歩数目標値に加えて、所定期間の歩数目標値に対する不足歩数を前記歩数履歴情報より求め、前記不足歩数と、前記取得手段により取得した本日の前記天気情報と、前記歩数履歴情報とに基づいて本日の歩数の推奨目標値を設定し、
前記提示手段は、前記歩数目標値に加えて、前記推奨目標値を提示する請求項１記載の歩数計測装置。
【請求項３】
前記設定手段は、前記取得手段により取得した本日の前記天気情報が晴れの場合には、前記不足歩数を前記推奨目標値として設定し、前記取得手段により取得した本日の前記天気情報が雨の場合には、前記歩数履歴情報の前記天気情報が雨の日の歩数を前記推奨目標値として設定する請求項２記載の歩数計測装置。
【請求項４】
前記設定手段は、前記取得手段により取得した本日の前記天気情報が雨の場合には、前記歩数履歴情報における本日と同一曜日の直近の雨の日の歩数を前記推奨目標値として設定する請求項３記載の歩数計測装置。
【請求項５】
前記設定手段は、前記不足歩数が無い場合には、前記歩数履歴情報において前記取得手段により取得した本日の前記天気情報と同一の天気情報と対応付けられている歩数を前記推奨目標値として設定する請求項２記載の歩数計測装置。
【請求項６】
前記設定手段は、前記取得手段により取得した本日の前記天気情報と同一の天気情報と対応付けられていることに加えて、前記歩数履歴情報における本日と同一曜日の直近の歩数を前記推奨目標値として設定する請求項５記載の歩数計測装置。
【請求項７】
前記設定手段は、前記提示手段により提示した前記推奨目標値を新たな前記歩数目標値として設定する請求項２記載の歩数計測装置。
【請求項８】
歩数を計測する歩数計測装置における歩数目標値設定方法であって、
天気情報を取得するステップと、
歩数を検出するステップと、
取得した前記天気情報と検出した１日の前記歩数とを対応付けた歩数履歴情報を順次記憶するステップと、
取得した前記天気情報と記憶した前記歩数履歴情報とに基づいて歩数目標値を設定するステップと、
を具備する歩数目標値設定方法。
【発明の詳細な説明】
【技術分野】
【０００１】
本発明は、特に各個人に最適な歩数目標値を設定する歩数計測装置及び歩数目標値設定方法に関する。
【背景技術】
【０００２】
従来、健康維持のために歩数の目標値を設定し、設定した目標値に到達するための種々の取り組みが行われている。このような取り組みとしては、例えば、バス停または電車の駅の１区間分先まで歩く方法、少し遠回りをして通勤する方法、または自転車から徒歩に代えて通勤する方法等が考えられる。
【０００３】
しかしながら、休日と平日とでは生活スタイルが異なるとともに、生活パターンも人によって異なるので、毎日上記の取り組みを行うことは困難である。そこで、ユーザの歩行パターンを反映した目標歩数に対する目標達成度合いを表示する歩数計が知られている（例えば、特許文献１）。特許文献１によれば、目標達成度合いを見ながら自分の生活パターンに適した上記の取り組みを行うことができる。
【先行技術文献】
【特許文献】
【０００４】
【特許文献１】特開２００８−１１７１７４号公報
【発明の概要】
【発明が解決しようとする課題】
【０００５】
しかしながら、特許文献１においては、天気を考慮せずに目標歩数を設定するので、適切な目標歩数を設定することができないという問題がある。例えば、晴れ等の歩くために適した環境においては上記の取り組みを行うが、雨等の天候不順な日には利便性を優先して歩かない傾向にある。即ち、一般に、晴れの日は歩数が多くなるが、雨の日は歩数が減る傾向にあり、歩数が天候に左右される。従って、特許文献１においては、生活パターンは同じでも、天候により上記の取り組み方が異なるため、最適な目標歩数を設定することができないという問題がある。
【０００６】
本発明の目的は、各個人に最適な歩数の目標値を設定することができる歩数計測装置及び歩数目標値設定方法を提供することである。
【課題を解決するための手段】
【０００７】
本発明の歩数計測装置は、天気情報を取得する取得手段と、歩数を検出する検出手段と、前記取得手段により取得した前記天気情報と前記検出手段により検出した１日の歩数とを対応付けた歩数履歴情報を順次記憶する記憶手段と、前記取得手段により取得した前記天気情報と前記記憶手段に記憶した前記歩数履歴情報とに基づいて歩数目標値を設定する設定手段と、前記設定手段により設定した前記歩数目標値を提示する提示手段と、を具備する構成を採る。
【０００８】
本発明の歩数目標値設定方法は、歩数を計測する歩数計測装置における歩数目標値設定方法であって、天気情報を取得するステップと、歩数を検出するステップと、取得した前記天気情報と検出した１日の前記歩数とを対応付けた歩数履歴情報を順次記憶するステップと、取得した前記天気情報と記憶した前記歩数履歴情報とに基づいて歩数目標値を設定するステップと、を具備するようにした。
【発明の効果】
【０００９】
本発明によれば、各個人に最適な歩数の目標値を設定することができる。
【図面の簡単な説明】
【００１０】
【図１】本発明の実施の形態に係る歩数計測装置の構成を示すブロック図
【図２】本発明の実施の形態に係る歩数の目標値の設定方法を示すフロー図
【図３】本発明の実施の形態における不足歩数Ａが０より大きい場合の歩数履歴情報を示す図
【図４】本発明の実施の形態における不足歩数Ａが０以下の場合の歩数履歴情報を示す図
【図５】本発明の実施の形態における歩数履歴情報の更新方法を示すフロー図
【図６】本発明の実施の形態における天気情報提供サーバから取得する天気情報を示す図
【図７】本発明の実施の形態における歩数の目標値を各時間帯に分散する際に、特定の時間帯に多く振り分ける場合を示す図
【発明を実施するための形態】
【００１１】
以下、本発明の実施の形態について、図面を参照して詳細に説明する。
【００１２】
（実施の形態）
図１は、本発明の実施の形態に係る歩数計測装置１００の構成を示すブロック図である。歩数計測装置１００は、例えば携帯電話等の携帯端末装置である。
【００１３】
歩数計測装置１００は、アンテナ１０１と、無線制御部１０２と、天気情報解析部１０３と、天気情報記憶部１０４と、歩数履歴記憶部１０５と、歩数検出部１０６と、音出力部１０７と、入力部１０８と、表示出力部１０９と、制御部１１０とから主に構成される。以下に、各構成について詳細に説明する。
【００１４】
アンテナ１０１は、無線制御部１０２から入力した天気情報を要求するための要求信号を天気情報提供サーバ１５０に送信する。また、アンテナ１０１は、天気情報提供サーバ１５０からの天気情報を含む受信信号を受信して無線制御部１０２へ出力する。
【００１５】
無線制御部１０２は、制御部１１０から入力した、天気情報の取得を要求するための要求信号を変調してアンテナ１０１へ出力する。また、無線制御部１０２は、制御部１１０の制御に従って、アンテナ１０１から入力した受信信号を復調し、復調後の復調信号を制御部１１０へ出力する。
【００１６】
天気情報解析部１０３は、制御部１１０の制御に従って、制御部１１０から復調信号を取得し、取得した復調信号に含まれる本日の天気情報を抽出する。また、天気情報解析部１０３は、抽出した本日の天気情報を解析して解析結果を天気情報記憶部１０４に記憶させる。
【００１７】
天気情報記憶部１０４は、天気情報解析部１０３から入力した天気情報の解析結果を記憶する。
【００１８】
歩数履歴記憶部１０５は、歩数検出部１０６により検出した歩数から、制御部１１０の制御に従って制御部１１０において作成した１日の歩数の積算結果と、日付と、曜日と、天気情報とを対応付けた歩数履歴情報を記憶する。
【００１９】
歩数検出部１０６は、歩数計測装置１００を携帯している人の歩数を検出し、検出結果を制御部１１０へ出力する。
【００２０】
音出力部１０７は、制御部１１０の制御に従って、一定の歩数間隔毎に鳴動して、所定の歩数に到達したことを報知する。
【００２１】
入力部１０８は、歩数の目標値の入力を外部から受け付け、受け付けた歩数の目標値を制御部１１０へ出力する。
【００２２】
表示出力部１０９は、制御部１１０の制御に従って、現在の歩数、歩数の目標値、または推奨目標値等を表示する。ここで、推奨目標値とは、一定期間内に平均歩数目標を達成するために、歩行当日の１日に推奨する歩数である。また、平均歩数目標とは、一定期間内で歩行する総歩数から１日あたりに平均した歩数の目標歩数である。例えば、１日１００００歩を目標にしていれば平均歩数目標は１００００歩であり、１週間で７００００歩を目標にしていれば平均歩数目標は１００００歩である。
【００２３】
制御部１１０は、図示しないタイマにより天気情報更新時刻を監視する。また、制御部１１０は、天気情報更新時刻になった場合に、天気情報提供サーバ１５０に対する天気情報取得の要求のための要求信号を生成し、生成した要求信号を無線制御部１０２へ出力する。また、制御部１１０は、歩数検出部１０６により検出した歩数の検出結果より１日の歩数を積算し、１日の歩数を積算する毎に、積算した歩数と、日付と、曜日と、天気情報記憶部１０４から取得したその日の天気情報とを対応付ける対応付け処理を行う。また、制御部１１０は、対応付け処理後の情報を歩数履歴記憶部１０５に記憶させることにより、歩数履歴記憶部１０５に記憶する歩数履歴情報を更新する。また、制御部１１０は、天気情報記憶部１０４から天気情報を取得するとともに、歩数履歴記憶部１０５から歩数履歴情報を取得して、歩数の目標値、歩数の目標値の達成時刻または推奨目標値を算出して設定する。また、制御部１１０は、現在の歩数、設定した歩数の目標値または推奨目標値等を表示出力部１０９に表示させる。
【００２４】
以上で歩数計測装置１００の構成の説明を終える。
【００２５】
次に、歩数の目標値の設定方法について、図２を用いて説明する。図２は、歩数の目標値の設定方法を示すフロー図である。
【００２６】
最初に、制御部１１０は、所定期間の歩数の目標値に対する不足歩数を算出する（ステップＳＴ２０１）。具体的には、制御部１１０は、１日の平均歩数目標から１週間分の積算値を求める。
【００２７】
また、制御部１１０は、歩数履歴記憶部１０５から歩数履歴情報を取得し、本日の６日前から昨日までの歩数履歴の実際の歩数を加算した積算値を求める。また、制御部１１０は、１日の平均歩数目標より１週間分の積算値から、本日の６日前から昨日までの歩数履歴から実際の歩数の積算値を減算することにより、不足歩数１を求める。また、制御部１１０は、天気情報記憶部１０４から本日の天気情報を取得し、取得した本日の天気情報を用いて歩数履歴情報を参照することにより、本日と同一曜日かつ本日の天気と同一天気の直近の歩数Ｂを選択する。また、制御部１１０は、上記で求めた不足歩数１から歩数Ｂを減算することにより、本日の天気に合致した本日の不足歩数Ａを算出する。
【００２８】
次に、制御部１１０は、算出した不足歩数Ａが０より大きいか否かを判定する（ステップＳＴ２０２）。
【００２９】
不足歩数Ａが０以下の場合には（ステップＳＴ２０２：Ｎｏ）、制御部１１０は、本日の推奨目標値として歩数Ｂを表示出力部１０９に表示させる（ステップＳＴ２０３）。
【００３０】
一方、不足歩数Ａが０より大きい場合には（ステップＳＴ２０２：Ｙｅｓ）、制御部１１０は、天気情報記憶部１０４から取得した本日の天気情報を参照して、本日の天気が晴れであるか否かを判定する（ステップＳＴ２０４）。
【００３１】
本日の天気が晴れである場合には（ステップＳＴ２０４：Ｙｅｓ）、制御部１１０は、本日の推奨目標値として不足歩数１を表示出力部１０９に表示させる（ステップＳＴ２０５）。
【００３２】
一方、本日の天気が雨の場合には（ステップＳＴ２０４：Ｎｏ）、制御部１１０は、本日の推奨目標値として歩数Ｂを表示出力部１０９に表示させる（ステップＳＴ２０３）。
【００３３】
次に、制御部１１０は、表示出力部１０９に表示させた本日の推奨目標値に変更する承諾を入力部１０８が受け付けたか否かを判定する（ステップＳＴ２０６）。
【００３４】
表示出力部１０９に表示させた本日の推奨目標値に変更する承諾を受け付けた場合には（ステップＳＴ２０６：Ｙｅｓ）、制御部１１０は、表示出力部１０９に表示させた本日の推奨目標値を本日の歩数の目標値として設定する（ステップＳＴ２０７）。
【００３５】
一方、表示出力部１０９に表示させた本日の推奨目標値に変更する承諾を受け付けない場合には（ステップＳＴ２０６：Ｎｏ）、制御部１１０は、平均歩数目標を本日の推奨目標値として設定する（ステップＳＴ２０８）。
【００３６】
次に、制御部１１０は、歩数履歴記憶部１０５に記憶する歩数履歴情報と、前記ステップＳＴ２０７またはステップＳＴ２０８で設定した本日の歩数目標値より単位時間あたりの歩数予測値を算出し、推測用歩数テーブルを設定する（ステップＳＴ２０９）。
【００３７】
次に、歩数の目標値の設定方法について、具体例を用いてさらに詳細に説明する。図３は、歩数の目標値を設定する際に用いる歩数履歴情報の一例を示す図である。また、図３において、各日付の○印の欄がその日の天気と歩数の履歴を表す。たとえば、図３より３／２２(月)の天気は晴れ、歩数履歴は９２３６歩となる。
【００３８】
最初に、図２のステップＳＴ２０２において不足歩数Ａが０より大きい場合（Ａ＞０の場合）の歩数の目標値の設定方法について、図３を用いて説明する。図３は、不足歩数Ａが０より大きい場合の歩数履歴情報を示す図である。即ち、図３の歩数履歴情報を用いることにより、不足歩数が有る場合の歩数の目標値を設定することができる。
【００３９】
図３より、１日の平均歩数目標を１００００歩とすると、１日の平均歩数目標から１週間分の積算値は「１００００＊７＝７００００歩」になる。
【００４０】
また、本日の６日前から昨日までの歩数履歴から実際の歩数の積算値は、各歩数値＃３０１〜＃３０６を積算した値になる。即ち、「本日の６日前から昨日までの歩数履歴から実際の歩数の積算値＝８４０４＋１１６４７＋９２３６＋８６４５＋１２０５０＋９５００＝５９４８２歩」になる。
【００４１】
これより、「不足歩数１＝７００００−５９４８２＝１０５１８歩」になる。
【００４２】
また、本日が晴れの場合、本日３月２５日の木曜日と同一曜日かつ同一天気の直近の歩数Ｂは、３月１１日の木曜日の歩数値＃３０７であり、１００８８歩である。
【００４３】
これより、本日の天気に合致した本日の不足歩数Ａは、不足歩数Ａ＝不足歩数１−Ｂ＝１０５１８−１００８８＝４３０歩になる。
【００４４】
一方、本日が雨の場合、本日３月２５日の木曜日と同一曜日かつ同一天気の直近の歩数Ｂは、３月１８日の木曜日の歩数値＃３０８であり、９２５３歩である。
【００４５】
これより、本日の天気に合致した本日の不足歩数Ａは、「不足歩数Ａ＝不足歩数１−Ｂ＝１０５１８−９２５３＝１２６５歩」になる。
【００４６】
従って、表示出力部１０９は、不足歩数Ａ＞０かつ本日の天気が晴れの場合には、たくさん歩けるものと推定し、不足歩数を挽回するために、１０５１８歩を本日の推奨目標値として表示する。また、表示出力部１０９は、不足歩数Ａ＞０かつ本日の天気が雨の場合には、不足歩数は有るものの天候不順によりあまり歩けないものと推定し、過去の天気が雨の日の歩数を考慮して、晴れの日より少ない９２５３歩を本日の推奨目標値として表示する。
【００４７】
次に、図２のステップＳＴ２０２において不足歩数Ａが０以下の場合（Ａ≦０の場合）の歩数の目標値の設定方法について、図４を用いて説明する。図４は、不足歩数Ａが０以下の場合の歩数履歴情報を示す図である。即ち、図４の歩数履歴情報を用いることにより、不足歩数が無い場合の歩数の目標値を設定することができる。また、図４において、各日付の○印の欄がその日の天気と歩数の履歴を表す。たとえば、図４より３／２２(月)の天気は晴れ、歩数履歴は９２３６歩となる。
【００４８】
図４において、不足歩数１を求める方法及び不足歩数１の値は図３と同一であるので、その説明を省略する。
【００４９】
図４より、本日が晴れの場合、本日３月２５日の木曜日と同一曜日かつ同一天気の直近の歩数Ｂは、３月１１日の木曜日の歩数値＃４０１であり、１３４９２歩である。
【００５０】
これより、本日の天気に合致した本日の不足歩数Ａは、不足歩数Ａ＝不足歩数１−Ｂ＝１０５１８−１３４９２＝−２９７４歩になる。
【００５１】
一方、本日が雨の場合、本日３月２５日の木曜日と同一曜日かつ同一天気の直近の歩数Ｂは、３月１８日の木曜日の歩数値＃４０２であり、１１２３４歩である。
【００５２】
これより、本日の天気に合致した本日の不足歩数Ａは、不足歩数Ａ＝不足歩数１−Ｂ＝１０５１８−１１２３４＝−７１６歩になる。
【００５３】
従って、表示出力部１０９は、不足歩数Ａ≦０かつ本日の天気が晴れの場合には、不足歩数が無いことより歩数を挽回する必要はないので、過去の天気が晴れの日の歩数を考慮して、１３４９２歩を本日の推奨目標値として表示する。また、表示出力部１０９は、不足歩数Ａ≦０かつ本日の天気が雨の場合には、不足歩数が無いことより歩数を挽回する必要はないので、過去の天気が雨の日の歩数を考慮して、１１２３４歩を本日の推奨目標値として表示する。
【００５４】
以上で、歩数の目標値の設定方法についての説明を終える。
【００５５】
図３及び図４では、過去の天気に応じた実際の歩数を記憶した歩数履歴情報から、本日の推奨目標値を算出した。一方、歩数の検出を開始した直後で、実際の歩数の履歴が蓄積していない場合には、あらかじめ決めておいた固定値（プリセット値）の歩数を歩数履歴情報に設定しておく。例えば、晴れの日の固定値を１００００歩とし、雨の日の固定値を９１００歩にする。また、固定値の歩数が設定された状態で、かつ、実際の歩数が記憶されていないときに、上記の本日の推奨目標値を設定する際には、固定値の歩数を用いて各値（不足歩数１、不足歩数Ａ及び同一曜日かつ同一天気の直近の歩数Ｂ）を求める。
【００５６】
次に、歩数履歴情報の更新方法について、図５を用いて説明する。図５は、歩数履歴情報の更新方法を示すフロー図である。
【００５７】
最初に、歩数検出部１０６は、歩数を検出するか否かを判定する（ステップＳＴ５０１）。
【００５８】
歩数を検出する場合には（ステップＳＴ５０１：Ｙｅｓ）、制御部１１０は、歩数履歴記憶部１０５に記憶している歩数履歴情報において、現在時刻に対応する時間帯の歩数値に、検出した歩数を順次加算する（ステップＳＴ５０２）。
【００５９】
一方、歩数を検出しない場合には（ステップＳＴ５０１：Ｎｏ）、ステップＳＴ５０２をスキップする。
【００６０】
また、制御部１１０は、１日が経過したか否かを判定する（ステップＳＴ５０３）。
【００６１】
１日が経過していない場合には（ステップＳＴ５０３：Ｎｏ）、歩数検出部１０６及び制御部１１０は、ステップＳＴ５０１〜ステップＳＴ５０３の処理を繰り返す。
【００６２】
一方、１日が経過した場合には（ステップＳＴ５０３：Ｙｅｓ）、制御部１１０は、歩数履歴記憶部１０５に記憶する歩数履歴情報を更新する（ステップＳＴ５０４）。
【００６３】
次に、制御部１１０は、歩数履歴記憶部１０５の本日の歩数履歴テーブルを初期化し（ステップＳＴ５０５）、処理をステップＳＴ５０１に戻す。
【００６４】
以上で、歩数履歴情報の更新方法の説明を終える。
【００６５】
図６は、天気情報提供サーバ１５０から取得する天気情報を示す図である。
【００６６】
図６に示すように、天気情報は、天気画像とアイコン番号とが対応付けられた情報であり、アイコン番号を参照することにより、天気を判定することもできる。即ち、天気情報は天気情報提供サーバ１５０から直接天気情報として取得することも可能であるが、天気表示のみを行うアプリケーションの表示情報（アイコン番号）から天気情報を取得することも可能である。
【００６７】
また、制御部１１０は、１日の歩数の目標値を各時間帯に分散して設定する場合において、一定比率で分散することも可能であるが、特定の時間帯に多くなるように歩数を分散してもよい。図７は、歩数の目標値を各時間帯に分散する際に、特定の時間帯に多く振り分ける場合を示す図である。不足歩数Ａ＞０かつ本日の天気が晴れの場合、図７によれば、制御部１１０は、歩数履歴記憶部から取得した歩数履歴より、通勤時間帯である９時と１７時〜１８時とに歩数が多くなる。従って、９時と１７時〜１８時とに歩数が多くなるように不足歩数Ａを振り分ける。
【００６８】
また、制御部１１０は、本日の天気情報に応じて、ユーザを励ます文書を表示出力部１０９に表示させるようにしてもよい。例えば、本日の天気情報が晴れで不足歩数が有る場合には、「目標達成のため今日はがんばりましょう」と表示する。また、本日の天気情報が雨で不足歩数が有るものの平均歩数目標以上の推奨目標値を設定できる場合には、「天候不順ですがいつもどおりにいきましょう」と表示する。この表示により、歩数履歴のみを考慮して歩数の目標値を設定する従来に比べて、天候不順でも多く歩けるユーザに対する心理的な負担を軽減することができる。また、本日の天気情報が雨で不足歩数が有る場合には、「晴れの日に挽回しましょう」と表示する。この表示により、歩数履歴のみを考慮して歩数の目標値を設定する従来に比べて、天候不順に多く歩けないユーザに対する心理的な負担を軽減することができる。また、本日の天気情報が晴れで不足歩数が無い場合には、「いつもどおりでいきましょう」と表示する。また、本日の天気情報が雨で不足歩数が無い場合には、「天候不順ですがいつもどおりにいきましょう」または「天候不順なので今日は抑えておきましょう」と表示する。「天候不順なので今日は抑えておきましょう」と表示する場合には、無理しなくても目標達成可能なユーザの心理的な負担を軽減することができる。
【００６９】
このように、本実施の形態によれば、天気を考慮し、過去の歩数履歴情報を用いて歩数の目標値を設定するので、各個人に最適な歩数の目標値を設定することができる。
【００７０】
なお、上記の実施の形態において、１日毎の天気情報を取得したが、本発明はこれに限らず、週間天気予報情報を取得して、１週間先までの推奨目標値を提示するようにしてもよい。また、上記の実施の形態において、所定の時刻に歩数計測装置からの要求により天気情報提供サーバから天気情報を取得したが、本発明はこれに限らず、天気情報が更新される毎に天気情報提供サーバから通知を受けた歩数計測装置が、天気情報を取得してもよい。また、歩数計測装置のユーザが、天気情報を手動入力してもよい。また、上記の実施の形態において、設定した歩数の目標値を達成する時間を推定して表示するようにしてもよい。この場合には、各時間帯の推定歩数（ステップＳＴ２０９において設定した推測用歩数テーブル）を記憶し、現在時刻までの歩数と、残りの時間帯における記憶した各時間帯の推定歩数とを加算し、歩数の目標値から前記の加算結果を減算した値が０以下になる時間帯を、歩数の目標値が達成できる時間として表示する。
【００７１】
また、上記の実施の形態において、歩数履歴情報における本日と同一曜日かつ同一天気の直近の歩数を用いて推奨目標値を設定したが、本発明はこれに限らず、歩数履歴情報における本日と同一天気となる任意の日付の歩数を用いて推奨目標値を設定してもよい。また、上記の実施の形態において、天気情報が晴れと雨の場合とで異なる歩数の目標値及び推奨目標値を設定したが、本発明はこれに限らず、晴れと曇り、曇りと雨の場合にも異なる歩数の目標値及び推奨目標値を設定するようにしてもよい。この場合、晴れよりは曇り、または曇りよりは雨の方が歩数は少なくなるように固定値（プリセット値）を設定する。また、上記の実施の形態において、歩数の目標値及び推奨目標値を表示出力部１０９で表示したが、本発明はこれに限らず、音出力部から音声により歩数の目標値及び推奨目標値を読み上げるようにしてもよい。
【産業上の利用可能性】
【００７２】
本発明にかかる歩数計測装置及び歩数目標値設定方法は、特に各個人に最適な歩数目標値を設定するのに好適である。
【符号の説明】
【００７３】
１００  歩数計測装置
１０１  アンテナ
１０２  無線制御部
１０３  天気情報解析部
１０４  天気情報記憶部
１０５  歩数履歴記憶部
１０６  歩数検出部
１０７  音出力部
１０８  入力部
１０９  表示出力部
１１０  制御部
１５０  天気情報提供サーバ
【図１】
2011242858.tif 000003
【図２】
2011242858.tif 000004
【図３】
2011242858.tif 000005
【図４】
2011242858.tif 000006
【図５】
2011242858.tif 000007
【図６】
2011242858.tif 000008
【図７】
2011242858.tif 000009